(57)【要約】【課題】  周囲が声援や騒音でうるさい場合でも、複数の使用者が適切に通話をすることができる通信システムを提供すること。【解決手段】  少なくとも２つの通信ユニット３ａ，３ｂと、所定のマイク５ａ１，５ｂ１及びスピーカ５ａ２，５ｂ２を備えると共に前記各通信ユニット３ａ，３ｂにそれぞれ接続される少なくとも２組のヘッドセット５ａ，５ｂと、前記各通信ユニット３ａ，３ｂに接続される無線通信機７ａ，７ｂとを備え、前記各ヘッドセット５ａ，５ｂのうちの何れかのマイク５ａ１，５ｂ１に入力された音声信号が、前記通信ユニット３ａ，３ｂおよび無線通信機７ａ，７ｂを介して他のヘッドセット５ａ，５ｂに送信されることを特徴とする通信システム。【選択図】図１
2008178055.tif 000002
【特許請求の範囲】
【請求項１】
少なくとも２つの通信ユニットと、所定のマイク及びスピーカを備えると共に前記各通信ユニットにそれぞれ接続される少なくとも２組のヘッドセットと、前記各通信ユニットに接続される無線通信機とを備え、
前記各ヘッドセットのうちの何れかのマイクに入力された音声信号が、前記通信ユニットおよび無線通信機を介して他のヘッドセットに送信されることを特徴とする通信システム。
【請求項２】
前記各無線通信機には警報音用スイッチが接続されていることを特徴とする請求項１に記載の通信システム。
【請求項３】
前記各通信ユニットに接続される無線通信機の他に、単独で配置される無線通信機を備えていることを特徴とする請求項１又は２に記載の通信システム。
【請求項４】
前記単独の無線通信機には他のヘッドセットが接続されていることを特徴とする請求項３に記載の通信システム。
【請求項５】
前記通信ユニットには、３組のヘッドセットが接続されていることを特徴とする請求項１〜４の何れか一項に記載の通信システム。
【発明の詳細な説明】
【技術分野】
【０００１】  本発明は、通信システムに係り、特に、スポーツの試合など、多数の観客による声援が行われる会場において、複数の使用者が同時に通話することができる通信システムに関する。
【背景技術】
【０００２】  従来から、スポーツの試合など多数の観客による声援が行われる会場において、複数の使用者が同時に通話することができる通信システムとして、ヘッドセットとトランシーバを組み合わせたシステムが用いられていた。このような通信システムは、プレー中のスコアを記録するための記録員などが用いる。例えば、バレーボールの試合などでは、一方のコートの後方に３名の記録員が配置され、ポイント毎にスコアを記録する。３名の記録員はそれぞれ役割があり、一人目は実際のプレーを見る者であり、二人目はスコアを記録するものであり、三人目はスコアに疑義が生じた場合に他の記録員と連絡をする者である。また、３名の記録員は他方のコートの後方にも配置されている。これに加え、審判の後方にも一人の記録員が配置され、他の記録員からの情報を審判に伝達する役割を有している。このため、１つの試合で合計７名の記録員が配置されることとなる。【０００３】  この通信システムは、トランシーバにヘッドセットを接続したものであり、各記録員がそれぞれ１台づつのトランシーバとヘッドセットを装備し、お互いに通信をすることとなる。
【発明の開示】
【発明が解決しようとする課題】
【０００４】  しかしながら、上記通信システムには以下のような問題があった。すなわち、上記通信システムでは、それぞれの記録員がトランシーバとヘッドセットを用いるため、記録員の人数だけトランシーバとヘッドセットが必要となる。また、各記録員はトランシーバを介して通信を行うため、電波の状況によってはノイズが混入し、適切に通信ができない場合もある。
【課題を解決するための手段】
【０００５】  本発明は、上記問題点を解消できる通信システムを提供することを目的とする。
上記目的を達成するために、本発明は、少なくとも２つの通信ユニットと、所定のマイク及びスピーカを備えると共に前記各通信ユニットにそれぞれ接続される少なくとも２組のヘッドセットと、前記各通信ユニットに接続される無線通信機とを備え、前記各ヘッドセットのうちの何れかのマイクに入力された音声信号が、前記通信ユニットおよび無線通信機を介して他のヘッドセットに送信される、という構成を採っている。【０００６】  また、前記各無線通信機には警報音用スイッチが接続されている、という構成を採っている。
また、前記各通信ユニットに接続される無線通信機の他に、単独で配置される無線通信機を備えている、という構成を採っている。【０００７】  また、前記単独の無線通信機には他のヘッドセットが接続されている、という構成を採っている。
さらに、前記通信ユニットには、３組のヘッドセットが接続されている、という構成を採っている。
【発明の効果】
【０００８】  本発明によれば、声援が飛び交う試合会場などにおいても、各記録員同士が適切に通話することができる。
【発明を実施するための最良の形態】
【０００９】  次に、本願発明の一実施形態について図面を参照しながら説明する。【００１０】  ［全体概要］
本発明の一実施形態に係る通信システム１は、図１に示すように、一方と他方の両方にそれぞれ配置される通信ユニット３ａ、３ｂと、各通信ユニット３ａ，３ｂに接続される少なくとも２つのヘッドセット５ａ，５ｂと、前記各通信ユニット３ａ、３ｂに接続されて音声信号の無線通信を行う無線通信機７ａ，７ｂとを備えている。各ヘッドセット５ａ，５ｂにはマイク５ａ１（５ｂ１）およびスピーカ５ａ２（５ｂ２）が装備されている。加えて、前記各無線通信機７ａ，７ｂとの間で無線通信を行う他の無線通信機９と、この他の無線通信機９に接続されるヘッドセット１１とを備えている。更に、各無線通信機７ａ、７ｂには警報音を発するためのスイッチ１３ａ，１３ｂが接続されている。【００１１】  ［通信ユニット］
先ず、通信ユニット３ａ，３ｂについて説明する。本実施形態に係る通信ユニット３ａ，３ｂは、図２（Ａ）に示すように、メインスイッチ３ａ１と、このメインスイッチ３ａ１の操作に応答して点灯／消灯するランプ３ａ２と、上記各ヘッドセット５ａ，５ｂ及び無線通信機７ａ，７ｂを接続するための４つの接続端子３ａ３、３ａ４（３ｂ３，３ｂ４）とを備えている。【００１２】  メインスイッチ３ａ１（３ｂ１）は当該通信ユニット３ａ，３ｂを起動するために操作するものであり、１回押すとスイッチが押込まれた状態となって通信ユニット３ａ，３ｂがオンとなり、再度押すと通信ユニット３ａ，３ｂがオフとなる。また、通信ユニット３ａ，３ｂのオン或いはオフの状態に応じて、メインスイッチ３ａ１（３ｂ１）の上のランプ３ａ２（３ｂ２）が点灯又は消灯する。【００１３】  各接続端子３ａ３、３ａ４（３ｂ３，３ｂ４）は音声信号を送信するためのものであり、図中の左側から見て３つの接続端子３ａ３（３ｂ３）に３つのヘッドセット５ａ，５ｂが接続され、最も右側の接続端子３ａ４（３ｂ４）に無線通信機７ａ，７ｂが接続される。各接続端子間は音声信号を共有できるように、所定の電子回路（図示略）を介してお互いに接続されている。【００１４】  ［ヘッドセット］
次に、ヘッドセット５ａ，５ｂについて説明する。図２（Ｂ）に示すように、本実施形態のヘッドセット５ａ，５ｂは、２組のカップ状のヘッドセット本体５ａ３（５ｂ３）と、各ヘッドセット本体５ａ３（５ｂ３）に取り付けられる耳当部５ａ４（５ｂ４）と、各ヘッドセット本体間を接続するアーム部５ａ５（５ｂ５）とを備えている。また、ヘッドセット本体５ａ３（５ｂ３）には、音声を電気信号に変換するマイク５ａ１（５ｂ１）と、音声をヘッドセット本体内に放出するスピーカ５ａ２（５ｂ２）と、スピーカ５ａ２（５ｂ２）からの音声の大きさを調整するボリューム５ａ６（５ｂ６）とを備えている。また、ヘッドセット本体５ａ３（５ｂ３）には通信ユニット３ａ，３ｂと接続するためのケーブル５ａ７（５ｂ７）が接続されており、マイク５ａ１（５ｂ１）からの音声信号を通信ユニット３ａ，３ｂに送信すると共に、通信ユニット３ａ，３ｂからの音声信号をスピーカ５ａ２（５ｂ２）に送信するようになっている。【００１５】  ［無線通信機］
次に、無線通信機７ａ、７ｂについて説明する。図２（Ｃ）に示すように、無線通信機７ａ，７ｂは、通信機本体７ａ１（７ｂ１）と、アンテナ７ａ２（７ｂ２）と、チャンネル切替ダイヤル７ａ３（７ｂ３）を備えている。また、通信機本体には表示部７ａ４（７ｂ４）が備えられ、使用中のチャネルや通信状態などが表示されるようになっている。また、通信機本体７ａ１（７ｂ１）にはスピーカ７ａ５（７ｂ５）も装備されており、直接このスピーカ７ａ５（７ｂ５）から音声を聞くこともできる。チャネル切替ダイヤル７ａ３（７ｂ３）は、無線通信に使用する周波数を切り替えるためのものであり、実際の使用中においては全ての無線通信機を同じチャンネルに設定しておく。無線通信機は一般的なトランシーバなどを用いることができる。【００１６】  ［警報音用スイッチ］
次に、警報音用スイッチ１３ａ，１３ｂについて説明する。図１に示すように、警報音用スイッチ１３ａ，１３ｂは各コートの後方の無線通信機７ａ，７ｂに接続される。警報音用スイッチ１３ａ，１３ｂは試合中などのスコアに疑義が生じた場合に、記録員の一人が操作して各記録員の注意を喚起するためのものである。当該警報音スイッチ１３ａ，１３ｂは、無線通信機７ａ，７ｂに接続され、全てのヘッドセット５ａ，５ｂに警報音信号が送信されるようになっている。【００１７】  ［作用］
次に、図１に基づいて、本実施形態に係る通信システムの作用について説明する。先ず、３名の記録員が一方のコートの後方に配置され、それぞれヘッドセット５ａを装着する。また、他方の後方も同様に３名の記録員がヘッドセット５ｂを装着する。更に、審判の後方に配置された記録員も無線通信機９に接続されたヘッドセット１１を装着する。このような配置において試合のスコアの記録を開始する。【００１８】  試合中、各記録員は必要に応じてマイク５ａ１（５ｂ１）に対して発音すると、音声信号が通信ユニット３ａ，３ｂに送信される。通信ユニット３ａ，３ｂに送信された音声信号は、同じ通信ユニット３ａ，３ｂに接続された他のヘッドセット５ａ，５ｂにも送信される。このため、一人の記録員の通話は同じ通信ユニット３ａ，３ｂを共有する他の記録員も聞くことができる。このとき、試合会場は声援などで音声が聞き取り難いが、防音効果の高いヘッドセット５ａ，５ｂが用いられているため、ヘッドセット本体内のスピーカを通して明瞭な音声を聞くことができる。【００１９】  また、一方の通信ユニット３ａに送信された音声信号は、無線通信機７ａにも送信され、この無線通信機７ａを介して他の無線通信機７ｂにも無線送信される。このため、他方のコートの後方に配置された３人の記録員も、一方のコート側に配置された記録員の会話を聞くことが可能である。更に、審判の後方に配置された記録員も無線通信機９を介して音声を聞くことができる。【００２０】  また、試合中にスコアに関する疑義が生じた場合などには、記録員のうちの一人が警報音スイッチ１３ａ，１３ｂを操作する。これにより、各ヘッドセット５ａ，５ｂには警報音が鳴ることとなる。この警報音が聞こえた場合には、各記録員が通話の内容を確認し、それぞれ適切な対応をとることとなる。
【産業上の利用可能性】
【００２１】  本発明は、通常の肉声では適切に会話ができない状況においても、多数の者が同時に通話することができる通信システムに利用することができる。
【図面の簡単な説明】
【００２２】
【図１】  本発明の一実施形態に係る通信システムの概要を示す図である。
【図２】  本発明の通信システムの構成要素であり、図２（Ａ）は通信ユニットを示し、図２（Ｂ）はヘッドセットを示し、図２（Ｃ）は無線通信機をそれぞれ示す。
【符号の説明】
１  通信システム
３ａ，３ｂ  通信ユニット
５ａ，５ｂ  ヘッドセット
７ａ，７ｂ  無線通信機（トランシーバ）
９  他の無線通信機（トランシーバ）
１１  他のヘッドセット
１３ａ，１３ｂ  警報音用スイッチ
【図１】
2008178055.tif 000003
【図２】
2008178055.tif 000004